(57)【要約】【課題】例えばボタン錠とシリンダ−錠等の複数の錠前を装備し、個々の錠前の機能を補完し、かつそれらの防御機能を相加することで、不正解錠を確実かつ強力に阻止し得る複合錠を提供すること。【解決手段】本締錠１００に連係する複数の錠前２，３を備える。各錠前２，３の解錠操作を介して、前記本締錠１００を解錠可能にする。【選択図】      図１
2005029973.tif 000002
【特許請求の範囲】
【請求項１】
本締錠に連係する複数の錠前を備え、各錠前の解錠操作を介して、前記本締錠を解錠可能にしたことを特徴とする複合錠。
【請求項２】
複数の錠前の何れか一つの錠前の施錠操作を介して、前記本締錠を施錠可能にした請求項１記載の複合錠。
【請求項３】
前記複数の錠前を、異種類の錠前で構成した請求項１記載の複合錠。
【請求項４】
前記複数の錠前を一体的に構成した請求項１記載の複合錠。
【請求項５】
前記複数の錠前の中に、操作ボタンの押圧操作を介して施解錠可能なボタン錠を含ませた請求項１記載の複合錠。
【請求項６】
前記複数の錠前の中にシリンダ−錠を含ませた請求項１記載の複合錠。
【請求項７】
前記ボタン錠は、操作ボタンの押圧回数に応じて相異なる複数の情報を入力可能にした請求項５記載の複合錠。
【発明の詳細な説明】
【０００１】
【発明の属する技術分野】
本発明は、例えばボタン錠とシリンダ−錠等の複数の錠前を装備し、個々の錠前の機能を補完し、かつそれらの防御機能を相加することで、不正解錠を確実かつ強力に阻止し得るようにした、複合錠に関する。
【０００２】
【従来の技術】
一般にシリンダ−錠は簡単かつ安価な錠前として、自動販売機やロッカ−等の扉に使用され、その構造は嵌合孔に装着可能なシリンダ−錠本体と、該本体に回動可能に収容したロ−タとからなり、前記ロ−タは前端に鍵孔を開口し、後端に駆動軸部を突設していて、該軸部を扉に内臓した錠前に連係していた（例えば、特許文献１参照）。
【０００３】
しかし、鍵孔は外部に露出してドリルやドライバ−等の攻撃を受け易く、そのために前記従来例では、ロ−タの前端に高硬度のハ−ドキャップを取り付けていたが、部品点数が増加しコスト高になる問題があった。
【０００４】
また、一般にシリンダ−錠は、不正な鍵によるピッキングを受け易いため、このピッキング対策として、精密な複数のタンブラ−ピンをシリンダ−本体に内蔵し、前記タンブラ−ピンを鍵孔に挿入した鍵に当接し、それらのシア−ラインが一致した際に解錠可能にして、ピッキングを防止するようにしていた（例えば、特許文献２参照）。
【０００５】
しかし、前記シリンダ−錠はタンブラ−ピンを傾斜方向に配置するため、タンブラ−ピンを収容する内外筒のピン孔の加工が複雑になり、また使用する鍵に対しては、その長さ方向にタンブラ−ピンと当接可能な斜面の加工を要し、該斜面は複雑な形状をしているため加工が難しく、シリンダ−錠および鍵の加工コストが共に高価になる問題があった。
しかも、シリンダ−錠はタンブラ−ピンの個数や斜面の形状に、加工上または加工スペ−ス上に制約があり、また鍵の複製や拾得した鍵による不正な解錠には基本的に対応できない、という問題があった。
【０００６】
一方、出願人は、鍵の使用を廃し、錠本体に複数の操作ボタンを備え、該ボタンを押圧操作し特定の暗証番号等の情報を入力することで、施解錠可能にしたボタン錠を種々提案している（例えば、特許文献３参照）。
【０００７】
しかし、従来のボタン錠は、シリンダ−錠に比べ、ピッキング対策に有効な膨大な情報を設定でき、高い信頼性を得られるが、万一、暗証番号を知られると不正に解錠される惧れがあり、ピッキング対策に完全を期することができなかった
【０００８】
【特許文献１】
特開平１１−３２４４２６号公報
【特許文献２】
特開２００２−３５７０３１号公報
【特許文献３】
特開平６−６６０５５号公報
【０００９】
【発明が解決しようとする課題】
本発明はこのような問題を解決し、例えばボタン錠とシリンダ−錠等の複数の錠前を装備し、個々の錠前の機能を補完し、かつそれらの防御機能を相加することで、不正解錠を確実かつ強力に阻止し得るようにした、複合錠を提供することを目的とする。
【００１０】
【課題を解決するための手段】
このため、請求項１の発明は、本締錠に連係する複数の錠前を備え、各錠前の解錠操作を介して前記本締錠を解錠可能にし、高い防御能力と保安性能を確保し、不正解錠を強力に防止するようにしている。
請求項２の発明は、複数の錠前の何れか一つの錠前の施錠操作を介して、前記本締錠を施錠可能にし、施錠の合理化と構成の簡潔化を図り、操作の簡便化と低廉化を得られるようにしている。
【００１１】
請求項３の発明は、前記複数の錠前を、異種類の錠前で構成し、解錠条件を相違させることで、個々の錠前の機能を補完し、不正解錠を強力に防止するようにしている。
請求項４の発明は、前記複数の錠前を一体的に構成し、構成の小形軽量化と、取り付けスペ−スのコンパクト化を図り、ドア周辺の体裁を向上するとともに、施解錠操作の容易化を図るようにしている。
請求項５の発明は、前記複数の錠前の中に、操作ボタンの押圧操作を介して施解錠可能なボタン錠を含ませ、暗証情報を駆使したボタン錠によって解錠条件を複雑に設定し、不正解錠を強力に防止するようにしている。
【００１２】
請求項６の発明は、前記複数の錠前の中にシリンダ−錠を含ませ、構成の簡潔化と低廉化、更には施解錠操作の容易化を図るようにしている。
請求項７の発明は、前記ボタン錠を、操作ボタンの押圧回数に応じて相異なる複数の情報を入力可能に構成し、従来のボタン錠に比べて、操作ボタンによる暗証情報量の増加を図れ、防御能力の向上と高い保安能力を確保するとともに、その分操作ボタンの数を減少させて、構成の簡潔化と小形軽量化を図るようにしている。
【００１３】
【発明の実施の形態】
以下、本発明をシリンダ−錠とボタン錠を備えた複合錠に適用した図示の実施形態について説明すると、図１乃至図１２において１はドアで、その吊元側の一側端が枠体（図示略）に回動可能に取り付けられ、その他側端部の外面に、第１の錠前であるボタン錠２と、第２の錠前であるシリンダ−錠３とが取り付けられている。
図中、４はドア１の内側に取り付けた略皿状の丸座で、施解錠用のサムタ−ン摘み５が設けられ、６はドア１の戸当り側の枠体である。
【００１４】
前記ボタン錠２は縦長小判形のケ−ス７と、該ケ−ス７の開口部を閉塞するカバ−８を備え、これらを亜鉛またはアルミ合金ダイカストで成形している。
前記ケ−ス７の上半部の一側に、複数の操作ボタン９が縦一列に配置され、該ボタン９の近接位置に操作孔１０が形成され、該孔１０の近接位置にボタン表示番号１１が設けられている。
【００１５】
前記操作ボタン９は、ボタンケ−ス１２とボタンギヤ１３とセットスプリング１４とからなり、ボタンケ−ス１２を前記ケ−ス７の外側に突出し、該ケ−ス１２の内部にボタンギヤ１３を収容している。
前記ボタンケ−ス１２の基部外周面に複数の掛止爪１５が設けられ、該掛止爪１５，１５の間に、ボタンケ−ス１２の内面に設けたガイドリブ２１を係脱可能に挿入している。
【００１６】
前記ボタンケ−ス１２の端部に鋸歯状の係合爪１６が設けられ、また前記ボタンギヤ１３の一側に同様な鋸歯状の係合爪１７が設けられ、これらの係合爪１６，１７が噛合可能に配置されている。
前記セットスプリング１４は、カバ−８とボタンギヤ１３との間に介挿され、その弾性を介してボタンギヤ１３とボタンケ−ス１２とを外側へ付勢している。
【００１７】
そして、前記操作ボタン９の押圧操作を介して、ボタンギヤ１３を一定方向へ所定角度回動し、その回動力と回動変位を、これと噛合するタ−ミナルギヤ１８へ伝達可能にしている。
実施形態では操作ボタン９を１回所定変位押圧することで、ボタンギヤ１３を４５°回動させ、その回動力と回動変位を、これと噛合するタ−ミナルギヤ１８へ伝達可能にしている。
前記タ−ミナルギヤ１８は、ブロック本体１９に回動可能に収容され、該ギヤ１８に円筒状のクラッチシャフト２０が回動自在に挿入されている。
【００１８】
前記ブロック本体１９は、亜鉛若しくはアルミ合金ダイカストによって異形の厚板状に成形され、その一側面に前記タ−ミナルギヤ１８を収容する凹孔２２と、リセットギヤ２３を収容する凹孔２４とが連通して形成され、その他側面に前記凹孔２２に連通する凹孔２５が形成されている。
【００１９】
図中、２６はブロック本体１９の一側面に形成したネジ孔で、該ネジ孔２６にビス２７をねじ込んで、カバ−プレ−ト２８を取り付けている。
２９はブロック本体１９の一端に形成したフック部、３０はブロック本体１９の他側面に形成した凹孔状のバネ受で、シフトスプリング３１を収容可能にしており、３２は前記凹孔２２の底部に突設したスリワリで、捩りバネ３３の一端を掛け止め、該バネ３３に形成される弾性によって、リセットギヤ２３を原位置へ復帰回動可能に付勢している。
【００２０】
前記クラッチシャフト２０の一端にネジ孔３４が形成され、該ネジ孔３４に情報変更子であるビス３５がねじ込まれている。  前記ビス３５の頭部３５ａとカバ−プレ−ト２８との間に、バネ３６と座金３７が介挿され、該バネ３６の弾性によって、クラッチシャフト２０を上方へ付勢し、係合爪３８と後述する係合穴とを係脱可能にしている。
前記クラッチシャフト２０の他端に、略菱形の係合爪３８と円板状の掛止板３９が設けられ、該掛止板３９の端面に略平板状のカム軸４０を突設している。
【００２１】
前記タ−ミナルギヤ１８の内側に係合孔４１が形成され、該係合孔４１の内面に係合穴６６が形成され、該穴６６の内面に複数、実施形態では８個の係合歯（図示略）が形成され、該係合歯に前記係合爪３８が係脱可能に収容されている。すなわち、前記係合爪３８は、前記バネ３６の弾性によって係合穴６６と係合可能に付勢され、ボタン錠２の暗証番号の設定ないしは入力時、操作具４２を介してビス頭部３５ａが押圧された際、係合穴６６との係合を解除可能にされている。
【００２２】
前記カム軸４０は制御カム４３の通孔４４に挿入され、該カム４３をクラッチシャフト２０と同動可能にしている。
前記制御カム４３は前記凹孔２５に回動可能に収容され、これは合成樹脂によって略円板状に成形され、その内側周面に切欠溝４５を形成し、該切欠溝４５に制御板４６の係合爪４７を係脱可能に配置している。
【００２３】
前記制御板４６は鋼板をプレス成形して略細長矩形に形成され、その一側端部をケ−ス７の側壁内面の段部（図示略）に係合し、この係合部を支点に板厚方向へ揺動可能に配置している。
前記制御板４６の基端部、つまり係合爪４７と反対側と、ケ−ス７内面との間にセットスプリング４８が介挿され、該スプリングの弾性を介して、前記係合爪４７を切欠溝４５側へ係合可能に付勢している。
【００２４】
前記制御板４６の他側端部に、操作ボタン９と同数の円弧状凹部４９が形成され、該凹部４９をボタン受５０に係合可能に配置している。
図中、５１は前記凹孔２５の周壁を切り欠いた切溝で、該溝５１に前記係合爪４７が挿入され、該係合爪４７の先端部を掛止板３９に係合可能に配置している
【００２５】
前記制御板４６の一端部に、バネ５２を介して鋼板製のロックプレ−ト５３が揺動自在に連結され、該プレ−ト５３の先端部に円弧状凹部５４が形成されている。
前記円弧状凹部５４は駆動カム５５のボス５６に係合可能に配置され、かつその張出部５７を駆動カム５５に取り付けたビス５８に係合して、駆動カム５５の回動を阻止し、ボタン錠２を実質的に施錠可能にしている。
【００２６】
図中、５８はリセットギヤ２３に設けたストッパで、当該部でタ−ミナルギヤ１８との噛合を不能し、それらの回動を阻止可能にしている。５９はブロック本体１９の他側面の両端部に斜状に形成したガイド溝で、該溝５９に記憶解除リンク６０に突設したピン６１が係入している。
【００２７】
前記記憶解除リンク６０は、ケ−ス本体７の長さ方向に移動可能に収容され、これはアルミ合金若しくは亜鉛合金ダイカストによって略コ字形状に形成され、その両端部に係合ア−ム６２，６３を突設している。
このうち、係合ア−ム６２が駆動カム５５のカムエンド６４に係合可能に配置され、該ア−ム６２の張出部６２ａが前記ロックプレ−ト５３に係合可能に配置されている。
【００２８】
また、一方の係合ア−ム６３とケ−ス本体７の内壁との間に、セットスプリング６５が介挿され、該スプリング６５の弾性を介して、前記記憶解除リンク６０を図７上下方へ付勢している。
図中、６７，６８はカバ−プレ−ト２８に形成した通孔で、通孔６８にバネケ−ス６９が取り付けられている。
【００２９】
前記駆動カム５５は、ケ−ス本体７内の一側に設けたカム穴７０に回動可能に収容され、その一側に設けた軸筒部７１を軸孔７２に挿入している。
前記軸筒部７１の端部に段付孔７３が設けられ、該孔７３の開口縁部に一対のドグ７４が突設され、該ドグ７４をケ−ス本体７の外側の凹孔７５に表出させている。
図中、７６は駆動カム５５とケ−ス本体７との間に介挿したカムスプリングで、駆動カム５５を原位置へ復帰回動可能に付勢している。
【００３０】
前記ドグ７４に連結片７７の係合溝７８が嵌合し、また前記段付孔７３に連結片７７の軸部７９が挿入され、該軸部７９のネジ孔８０にボルト８１をねじ込んで、連結片７７を駆動カム５５と同動可能に取り付けている。
前記連結片７７の他端部に角穴８２が形成され、該角穴８２に、シリンダ−錠３の内筒８３の端部に突設した角軸８４が嵌合している。
【００３１】
前記シリンダ−錠３は、略円錐台形の錠ケ−ス８５と、該ケ−ス８５に固定された外筒８６と、該外筒８６に回動自在に取り付けた内筒８３とからなり、該内筒８３に鍵８７を差し込み可能な鍵孔８８が形成されている。
図中、８９はカム穴７０の底部に設けた透孔、９０は錠ケ−ス８５の端部に形成したネジ孔で、これらにビス９１をねじ込み、錠ケ−ス８５を凹孔７５に取り付けている。
【００３２】
この他、９２は錠ケ−ス８５の端部にねじ込んだビスで、錠ケ−ス８５に外筒８６を固定している。９３は鍵８７の差し込み部周面に形成したピン孔で、鍵孔８８の内面に臨ませて配置したタンブラ−ピン（図示略）と係合可能にされている。
【００３３】
前記ボルト８１の頭部８１ａは、ボス５６の異形のボス穴９４に収容され、該頭部８１ａの係合凹部９５に、軸部９６を介して、連結バ−受９７が回動自在に支持されている。
前記連結バ−受９７の端面にスリワリ９８が形成され、該スリワリ９８に連結バ−９９の基端部が係入している。前記連結バ−９９の他端部は、ドア１に埋設した本締錠１００のカム穴（図示略）を貫通し、前記サムタ−ン摘み５の軸部のスリワリ（共に図示略）に係合している。
【００３４】
図中、１０１は本締錠１００に連動するデッドボルトで、枠体６に設けたトロヨケ（図示略）に進退可能に配置されている。
１０２，１０３はドア１の内外に回動可能に取り付けたドアハンドルで、前記ボタン錠２の直下または長座４の直下に取り付けられ、そのハンドル操作を介して、空錠１０４に連動するラッチ１０５を、枠体６に設けたトロヨケ（図示略）に進退可能にしている。
【００３５】
この他、図中１０６はケ−ス本体７の底部に摺動可能に取り付けた細長の防護板で、その一側に前記操作孔１０に連通可能な複数の透孔１０７が形成されている。
前記防護板１０６の両端部に屈曲片１０８と係合片１０９とが設けられ、前記屈曲片１０８とケ−ス本体７内の張出壁１１０との間にバネ１１１が介挿され、該バネ１１１の弾性を介して、防護板１０６を駆動カム５５側へ付勢している。
【００３６】
また、前記係合片１０９は、ケ−ス本体７内面と駆動カム５５の係合段部１１２との間に係合可能に挿入され、ボタン錠２の施錠時、操作具４２を操作孔１０に差し込み、シリンダ−錠３のキ−操作で不正に解錠する際、駆動カム５５の回動を阻止して、不正解錠を防止可能にしている。
【００３７】
この他、図中１１３はケ−ス本体７のネジ孔１１４にねじ込み可能な棒ネジで、一端に六角穴が形成され、該ネジ１１３に丸座４連結用のパイプネジ１１５がねじ込み可能にされている。
１１６は駆動カム５５に設けたビス５８のネジ孔、１１７はカバ−８に複数形成した通孔で、前記カム軸４０を係入可能にしている。
【００３８】
このように構成した複合錠は、複数の錠前、実施形態では第１の錠前であるボタン錠２と、第２の錠前であるシリンダ−錠３とを要し、これらを本締錠１００に連係させて、一体的に配置しているから、これらを別々に配置する場合に比べて、取り付けスペ−スのコンパクト化と、施解錠操作の容易化を図れる。
【００３９】
特に、前記ボタン錠２は、単一の操作ボタン９の押圧操作によって、８種類の暗証番号を設定および入力し得るから、従来のボタン錠に比べて操作ボタン９の数を減少でき、その分構成が簡潔になり、ボタン錠２の小形軽量化を図れる。この状況は図１乃至図３のようで、ドア１周辺の体裁が向上する。
【００４０】
また、複合錠の施解錠は後述のように、各錠前２，３の施錠と解錠を要するから、それだけ解錠に時間が掛かり、その分防御能力の向上を図れる。
特に、実施形態ではボタン錠２にシリンダ−錠３を組み合わせているから、特定の暗証番号の知得と鍵８７の所持が不可欠になり、それらの条件が満たされた場合にのみ解錠し得ることとなって、極めて高い防御能力を得られる。
【００４１】
このような複合錠は、例えば図１および図２のように、玄関ドア１の外側にドアハンドル１０２と一緒に取り付けられ、ドア１の内側に、丸座４とドアハンドル１０３が取り付けられる。
前記複合錠を構成するボタン錠２には、使用者毎に特定の暗証番号が入力設定され、シリンダ−錠３には特定の鍵８７が使用される。
【００４２】
このうち、前記暗証番号は実施形態の場合、４個の操作ボタン９によって４桁の番号が設定され、各操作ボタン９は後述のように８通りの番号を設定し得るから、８の４乗、つまり４０９６通りの暗証番号を設定し得る。
【００４３】
次に、前記ボタン錠２に暗証番号を入力設定する場合は、例えばドア１を閉鎖した状態で、ドア１の外側から入力設定する。
すなわち、所定の操作孔１０に操作具４２を挿入し、クラッチシャフト２０をバネ３６の弾性に抗して押し下げ、係合爪３８と係合穴６６との係合を解除するこの状況は図８および図９のようで、タ−ミナルギヤ１８がクラッチシャフト２０に回転自在に支持され、タ−ミナルギヤ１８がボタンギヤ１３とリセットギヤ２３に噛合する。
【００４４】
このような状況の下で図１０のように、対応する操作ボタン９をセットスプリング１４の弾性に抗して押し下げ、ボタンギヤ１３を同動させた後、ボタンギヤ１３から手を離す。
このようにすると、ボタンギヤ１３がセットスプリング１４の弾性によって前方へ押し戻され、かつその際、前記ギヤ１３に突設した係合爪１７がガイドリブ２１の内側端部に係合して、ヘリカル回動する。
【００４５】
このため、前記係合爪１７がガイドリブ２１の１ピッチ分、つまり４５°回動し、そのトルクをボタンギヤ１３と噛合するタ−ミナルギヤ１８へ伝達し、更にそのトルクが噛合するリセットギヤ２３へ伝達される。
この結果、リセットギヤ２３が回動し、内部に掛け止めたリセットバネ３３を捩り込み、その蓄積した弾性をタ−ミナルギヤ１８へ作用して、該ギヤ１８を原位置へ復帰可能に付勢する。
【００４６】
この場合、操作ボタン９を２回押圧すると、ボタンギヤ１３がガイドリブ２１の２ピッチ分、つまり９０°回動し、操作ボタン９を３回押圧すると、ボタンギヤ１３が１３５°回動する。
したがって、例えば暗証番号が４桁の「２３４５」の場合は、ボタン表示部１１の「１」表示の最上位置の操作ボタン９を２回押圧し、ボタン表示部１１の「２」表示の操作ボタン９を３回押圧し、ボタン表示部１１の「３」表示の操作ボタン９を４回押圧し、ボタン表示部１１の「４」表示の操作ボタン９を５回押圧する。
【００４７】
こうして各操作ボタン９の暗証番号を設定後、操作具４２を操作孔１０から引き抜き、クラッチシャフト２０の原状を回復して、係合爪３８を係合穴６６に係合する。
そして、鍵８７をシリンダ−錠３の鍵孔８８に差し込み、これを例えば時計方向へ回動し、図７上では反時計方向へ回動して、リセット操作する。
【００４８】
このようにすると、鍵８７と一緒に内筒８３が回動し、そのトルクが同動する連結片７７を介して、係合溝７８と嵌合するドグ７４から駆動カム５５へ伝達され、該カム５５が同期回動する。
このため、駆動カム５５に組み付けた連結バ−受９７が同動し、スリワリ９８に係合した連結バ−９９が同動して、本締錠１００のカム（図示略）が作動し、デットボルト１０１がトロヨケ（図示略）に突出して、シリンダ−錠３が施錠される。
【００４９】
一方、前記駆動カム５５の回動に伴って、そのカムエンド６４が記憶解除リンク６０の係合ア−ム６２と係合し、前記リンク６０をセットスプリング６５の弾性に抗して押し上げ、ピン６１と係合下のブロック本体１９を、シフトスプリング３１の弾性に抗して図７上左方へ引き寄せる。
【００５０】
この結果、ブロック本体１９がボタンギヤ１３から離反し、ボタンギヤ１３とタ−ミナルギヤ１８との噛合が解除され、また制御板４６の各係合爪４７が、ブロック本体１９の切溝５１から引き抜かれる。
【００５１】
このようにすることで、タ−ミナルギヤ１８とリセットギヤ２３が回動可能になり、リセットギヤ２３が捩りバネ３３の弾性によって復帰回動し、つまり操作ボタン９の押圧操作時と反対方向へ回動し、該ギヤ２３と噛合するタ−ミナルギヤ１８を、操作ボタン９の押圧操作時と同方向へ回動させる。
【００５２】
前記タ−ミナルギヤ１８の回動変位は、捩りバネ３３に形成された前記弾性に比例し、その回動変位が係合穴６６に係合する係合爪３８を介して、カム軸４０に形成される。
このため、カム軸４０がタ−ミナルギヤ１８と同期回動し、該軸４０に嵌合した制御カム４３がこれに同動して、該カム４３の切欠溝４５の位置が形成されるすなわち、各切欠溝４５の位置が、捩りバネ３３の弾性ないし暗証入力情報に基いて設定される。
【００５３】
このような暗証番号設定時は、各切欠溝４５の位置が記憶情報「０」の位置、つまり係合爪４７と係合可能な位置から係合不可能な位置へ移動し、各係合爪４７がリセットスプリング４８の弾性に抗して切欠溝４５から引き出され、掛止板３９と制御カム４３との間に位置する。
【００５４】
したがって、ロックプレ−ト５３の一端がロックスプリング５２の弾性によって、制御板４６の厚さ方向に引き寄せられ、該板４６に重合するとともに、その他端の張出部５７が吊元位置設定用ビス５８に係合し、その移動が拘束される。この結果、駆動カム５５ないし内筒８６の回動が不能になり、ボタン錠２が実質的に施錠される。
【００５５】
このようなボタン錠２とシリンダ−錠３の施錠を解錠する場合は、ボタン錠２とシリンダ−錠３を順次解錠操作する。
先ず、前記ボタン錠２を解錠する場合は、ドア１の外側から各操作ボタン９を操作し、前記設定した暗証番号「２３４５」を入力する。
すなわち、最上位置の操作ボタン９を２回押圧し、その直下の操作ボタン９を３回押圧し、次の操作ボタン９を４回押圧し、最下位置の操作ボタン９を５回押圧する。
【００５６】
このようにすると、各操作ボタン９のボタンギヤ１３が前記押圧回数に４５°を乗じた角度、つまり９０°、１３５°、１８０°、２２５°回動し、各ボタンギヤ１３と噛合するタ−ミナルギヤ１８が、前記ギヤ１３と反対方向へ回動する
【００５７】
この場合、前記タ−ミナルギヤ１８の回動方向は、前記暗証番号設定時におけるリセット操作時の回動方向と反対で、その回動角度はそれぞれ同一であるから、各タ−ミナルギヤ１８は暗証番号設定時と反対方向へ回動し、暗証番号設定時の回動角度を相殺して、当該暗証情報を解消する。
【００５８】
すなわち、全てのタ−ミナルギヤ１８が回動角度「零」の状態に置かれ、同動する各制御カム４３ないし切欠溝４５が同様な暗証番号「０」の状態を形成し、各切欠溝４５が制御板４６の係合爪４７と係合可能になる。
【００５９】
このため、各係合爪４７がセットスプリング４８の弾性によって各切欠溝４５に係入し、制御板４６がカバ−８側へ斜めに押し倒され、これにロックプレ−ト５３が追随して、該プレ−ト５３の張出部５７がドア吊元位置設定ビス５８から離間し、駆動カム５５が回動可能になる。これによって、ボタン錠２が実質的に解錠される。
【００６０】
次に、前記状況の下でシリンダ−錠３を解錠する。
シリンダ−錠３を解錠する場合は、鍵８７をシリンダ−錠３の鍵孔８８に差し込み、これを前記リセット方向と反対方向へ回動し、図７上では時計方向へ回動する。
このようにすると、鍵８７と一緒に内筒８３が回動し、そのトルクが同動する連結片７７を介して、係合溝７８と嵌合するドグ７４から駆動カム５５へ伝達され、該カム５５が同期回動する。
【００６１】
このため、駆動カム５５に組み付けた連結バ−受９７が同動し、スリワリ９８に係合した連結バ−９９が同動して、本締錠１００のカム（図示略）が作動し、デットボルト１０１がトロヨケ（図示略）から後退して、シリンダ−錠３が解錠される。
そこで、この後、外側のドアハンドル１０２を回動し、ラッチ１０５をトロヨケ（図示略）から後退させれば、ドア１が開放可能になる。
【００６２】
このように、本発明の複合錠を解錠する場合は、第１の錠前であるボタン錠２と、第２の錠前であるシリンダ−錠３の解錠を要し、それぞれの解錠を条件に解錠可能にしているから、従来の単一の錠前によるものに比べ、高い防御能力と保安能力を得られ、不正解錠を強力に防止することができる。
しかも、ボタン錠２は暗証番号を基に解錠され、またシリンダ−錠３は鍵８７を基に解錠され、それぞれ異質の解錠条件を備えているから、解錠条件の一致が難しく、それだけ不正解錠を強力に阻止し得る。
【００６３】
なお、前記シリンダ−錠３の解錠操作によって、駆動カム５５がリセット操作と反対方向に回動するが、カムエンド６４が係合ア−ム６２と係合し、記憶解除リンク６０が押し上げられ、該リンク６０が図７上左方へ引き寄せられる。
そして、ブロック本体１９がボタンギヤ１３から離反し、タ−ミナルギヤ１８とボタンギヤ１３の噛合が解除され、制御板４６の各係合爪４７がブロック本体１９の切溝５１から引き抜かれ、前述のリセット動作と同様な状態が形成される
【００６４】
しかしながら、タ−ミナルギヤ１８とボタンギヤ１３の噛合が解除されても、捩りバネ３３は僅かな弾性を有するだけで、前記ギヤ１８，１３を回動し得ないから、前記ギヤ１８，１３は回動しない。したがって、ボタン錠２は当初設定の暗証番号を維持し、その後のドア１の開操作ないし解錠作動に支障を来たさない
【００６５】
一方、前述の施錠時にドア１を内側から開ける場合は、サムタ−ン摘み５を回動操作し、これに連係する連結バ−９９を同動させて、本締錠１００のカム（図示略）を作動し、デットボルト１０１をトロヨケ（図示略）から後退させれば、本締錠１００が解錠される。
したがって、この後、内側のドアハンドル１０２を回動し、ラッチ１０５をトロヨケ（図示略）から後退させれば、ドア１が開放可能になる。
【００６６】
次に、前記複合錠を外側から施錠する場合は、シリンダ−錠３による施錠操作で行なう。すなわち、外側のドアハンドル１０２を回動し、ラッチ１０５をトロヨケ（図示略）へ突出させて、ドア１を閉鎖する。
この後、鍵８７をシリンダ−錠３の鍵孔８８に差し込み、これを施錠方向へ回動する。
このようにすると、鍵８７と一緒に内筒８３が回動し、そのトルクが同動する連結片７７を介して、係合溝７８と嵌合するドグ７４から駆動カム５５へ伝達され、該カム５５が同期回動する。
【００６７】
このため、連結バ−受９７が駆動カム５５と同動し、スリワリ９８に係合した連結バ−９９がこれに同動して、本締錠１００のカム（図示略）が作動し、デットボルト１０１がトロヨケ（図示略）へ突出して、シリンダ−錠３が施錠される
【００６８】
このように、本発明の複合錠を外側から施錠する場合は、シリンダ−錠３による施錠だけでよく、ボタン錠２の施錠を要しないから、前記操作を簡易かつ速やかに行なえる。
この場合、ボタン錠２は解錠時に当初設定の暗証番号を維持しているが、前記施錠操作および施錠後においても、前記暗証番号を維持し、その施錠操作および施錠機能に支障を来たさない。しかも、シリンダ−錠３による施錠は、鍵８７による従来の操作でよいから、前記操作を簡便に行なえる。
【００６９】
一方、前記複合錠を内側から施錠する場合は、内側のドアハンドル１０２を回動し、ラッチ１０５をトロヨケ（図示略）へ突出させて、ドア１を閉鎖する。
そして、サムタ−ン摘み５を回動操作し、これに連係する連結バ−９９を同動させて、本締錠１００のカム（図示略）を作動し、デットボルト１０１をトロヨケ（図示略）へ突出させれば、本締１００が施錠される。
【００７０】
【発明の効果】
以上のように、本発明の請求項１の発明は、本締錠に連係する複数の錠前を備え、各錠前の解錠操作を介して前記本締錠を解錠可能にしたから、高い防御能力と保安性能を確保でき、不正解錠を強力に防止することができる。
請求項２の発明は、複数の錠前の何れか一つの錠前の施錠操作を介して、前記本締錠を施錠可能にしたから、施錠の合理化と構成の簡潔化を図れ、操作の簡便化と低廉化を図ることができる。
【００７１】
請求項３の発明は、前記複数の錠前を、異種類の錠前で構成したから、解錠条件を相違させることで、個々の錠前の機能を補完し、不正解錠を強力に防止することができる。
請求項４の発明は、前記複数の錠前を一体的に構成したから、構成の小形軽量化と、取り付けスペ−スのコンパクト化を図れ、ドア周辺の体裁を向上するとともに、施解錠操作の容易化を図ることができる。
請求項５の発明は、前記複数の錠前の中に、操作ボタンの押圧操作を介して施解錠可能なボタン錠を含ませたから、暗証情報を駆使したボタン錠によって解錠条件を複雑に設定し、不正解錠を強力に防止することができる。
【００７２】
請求項６の発明は、前記複数の錠前の中にシリンダ−錠を含ませたから、構成の簡潔化と低廉化、更には施解錠操作の容易化を図ることができる。
請求項７の発明は、前記ボタン錠を、操作ボタンの押圧回数に応じて相異なる複数の情報を入力可能に構成したから、従来のボタン錠に比べて、操作ボタンによる暗証情報量の増加を図れ、防御能力の向上と高い保安能力を確保できるとともに、その分操作ボタンの数を減少させて、構成の簡潔化と小形軽量化を図ることができる。
【図面の簡単な説明】
【図１】本発明を、ボタン錠とシリンダ−錠の組み合わせに適用した実施形態を示す斜視図である。
【図２】図１の正面図で、ボタン錠とシリンダ−錠の施錠状態を示している。
【図３】図２の左側面図である。
【図４】本発明に適用したボタン錠の要部を分解して示す斜視図で、ケ−ス本体内の組み付け部品と、シリンダ−錠の組み付け状態を示している。
【図５】本発明に適用したボタン錠の要部を分解して示す斜視図で、ブロク本体と制御カム、タ−ミナルギヤとリセットギヤ等の組み付け状態を示している。
【図６】本発明に適用したボタン錠の要部を分解して示す斜視図で、ブロク本体と制御板、記憶解除リンクとカバ−の組み付け状態を示している。
【図７】本発明に適用したボタン錠の要部を分解して示す正面図で、記憶解除リンクと制御板とケ−ス本体等の組み付け状態を示している。
【図８】本発明に適用したボタン錠の暗証番号設定前の状況を拡大して示す断面図である。
【図９】本発明に適用したボタン錠の暗証番号設定途中の状況を拡大して示す断面図で、操作具を挿入し、クラッチシャフトを押し下げ、操作ボタンを押圧する前の状況を示している。
【図１０】本発明に適用したボタン錠の暗証番号設定時の状況を拡大して示す断面図で、操作具を挿入し、クラッチシャフトを押し下げ、操作ボタンを押圧している状況を示している。
【図１１】図２のＡ−Ａ線に沿う断面図で、本発明に適用したボタン錠とシリンダ−錠の組み付け状態を示し、前記シリンダ−錠に鍵を差し込んでいる状況を示している
【図１２】本発明に適用したボタン錠と、シリンダ−錠の組み付け状態の要部を分解して示す斜視図で、ボタン錠内の駆動カムと、シリンダ−錠との組み付け状態を示している。
【符号の説明】
２                      ボタン錠（第１の錠前）
３                      シリンダ−錠（第２の錠前）
９                      操作ボタン
１００                      本締錠
【図１】
2005029973.tif 000003
【図２】
2005029973.tif 000004
【図３】
2005029973.tif 000005
【図４】
2005029973.tif 000006
【図５】
2005029973.tif 000007
【図６】
2005029973.tif 000008
【図７】
2005029973.tif 000009
【図８】
2005029973.tif 000010
【図９】
2005029973.tif 000011
【図１０】
2005029973.tif 000012
【図１１】
2005029973.tif 000013
【図１２】
2005029973.tif 000014